(57)【要約】【課題】端子の接触腕部が相手方端子を挟持するとともに、ハウジングの挿通孔（こう）に形成された膨出部も相手方端子を挟持することによって、相手方端子と端子との導通状態を確実に維持することができるとともに、相手方端子を備える接続対象部材との接続状態を確実に維持することができるようにする。【解決手段】接続対象部材の相手方端子と接触する端子と、該端子が装填（てん）されるハウジングとを備え、前記接続対象部材が接続されるソケットであって、前記端子は、前記相手方端子を挟持する接触腕部を含み、前記ハウジングは、前記相手方端子を挿通可能な挿通孔であって前記相手方端子を前記端子の接触腕部に案内する挿通孔と、前記相手方端子を挟持する前記挿通孔の内周面に形成された膨出部とを含む。【選択図】図１
2014135228.tif 000002
【特許請求の範囲】
【請求項１】
（ａ）接続対象部材の相手方端子と接触する端子と、該端子が装填されるハウジングとを備え、前記接続対象部材が接続されるソケットであって、
（ｂ）前記端子は、前記相手方端子を挟持する接触腕部を含み、
（ｃ）前記ハウジングは、前記相手方端子を挿通可能な挿通孔であって前記相手方端子を前記端子の接触腕部に案内する挿通孔と、前記相手方端子を挟持する前記挿通孔の内周面に形成された膨出部とを含むことを特徴とするソケット。
【請求項２】
前記膨出部が前記相手方端子を挟持する方向は、前記接触腕部が前記相手方端子を挟持する方向と交差する請求項１に記載のソケット。
【請求項３】
前記接触腕部は、両側から前記相手方端子を挟持する一対の部材であり、前記膨出部は、前記接触腕部が前記相手方端子を挟持する方向と直交する方向両側から前記相手方端子を挟持する一対の部材である請求項２に記載のソケット。
【請求項４】
前記端子は、前記接触腕部の間に前記相手方端子を挿通可能な空間を含み、前記膨出部は、前記相手方端子の挿通方向から観て、前記空間に突出する請求項１〜３のいずれか１項に記載のソケット。
【請求項５】
前記挿通孔は、前記ハウジングにおける接続対象部材に対向する面から反対側の面まで貫通する請求項１〜４のいずれか１項に記載のソケット。
【請求項６】
前記ハウジングは、前記端子を収容する端子収容孔であって前記挿通孔と直交する方向に延在する端子収容孔を含み、前記挿通孔は対応する端子収容孔と交差する請求項１〜５のいずれか１項に記載のソケット。
【請求項７】
前記接続対象部材はモジュールであり、前記相手方端子は前記モジュールの一面から突出する棒状又は針状の突出端子であり、前記端子は電線の終端に接続される請求項１〜６のいずれか１項に記載のソケット。
【発明の詳細な説明】
【技術分野】
【０００１】
本発明は、ソケットに関するものである。
【背景技術】
【０００２】
従来、円柱状の突出端子を備える電気部品、電子部品等をケーブルの電線等に接続するためにソケットが使用されている（例えば、特許文献１参照。）。このようなソケットは差込式端子を備え、該差込式端子に円柱状の突出端子が差込まれると、該突出端子を前記差込式端子が保持することによって、両者の電気的接続状態を維持する。
【０００３】
図８は従来のソケットの差込式端子を示す斜視図である。
【０００４】
図において、８６１は、図示されないソケットのハウジングに装着される差込式端子の本体部である。そして、８６２は、図示されないケーブルの電線の端部に接続される端子の結線部であり、前記本体部８６１の後端に接続されている。また、８６３は、図示されない突出端子が接続される接続部であり、前記本体部８６１の前端に接続されている。
【０００５】
前記接続部８６３は、略Ｕ字の断面形状を備える部材であり、互いに対向する左右一対の平板状の立上げ部８６３ａと、該立上げ部８６３ａの中央部底面に形成された開口部８６３ｃと、各立上げ部８６３ａの先端に接続された案内部８６３ｄとを備える。なお、突出端子は、図における下方から接続部８６３に対して相対的に上昇して、左右の立上げ部８６３ａの間に差込まれる。
【０００６】
そのため、左右の案内部８６３ｄ同士の間隔は突出端子の外径寸法よりも広く設定されている。また、立上げ部８６３ａと案内部８６３ｄとの境界には、突出端子の外径寸法よりも狭く間隔が設定された接触部８６３ｅが設けられている。さらに、各立上げ部８６３ａには、舌片８６３ｆが形成されている。該舌片８６３ｆの先端部８６３ｊは、前記開口部８６３ｃ側に位置する。なお、前記舌片８６３ｆは、先端部８６３ｊ同士の間隔が狭くなるように、内側に向いて傾斜している。
【０００７】
そして、図における下方から左右の立上げ部８６３ａの間に進入した突出端子が更に上方に進行すると、左右の舌片８６３ｆ同士の間隔が押広げられる。これにより、前記突出端子は、左右の舌片８６３ｆによって左右から弾性的に挟持される。この場合、左右の舌片８６３ｆが弾性変形するので、前記突出端子と舌片８６３ｆとが広い面積で接触し、相互の導通状態が良好になる。
【０００８】
このように、前記突出端子が舌片８６３ｆによって保持されるので、前記突出端子と差込式端子との導通状態が良好に維持され、その結果、前記突出端子とケーブルの電線との電気的接続状態が良好に維持される。
【先行技術文献】
【特許文献】
【０００９】
【特許文献１】実開昭５８−１７９７６７号公報
【発明の概要】
【発明が解決しようとする課題】
【００１０】
しかしながら、前記従来のソケットにおいては、差込式端子の舌片８６３ｆが突出端子を左右から挟持することによって該突出端子を保持するだけなので、振動や衝撃のような外力が付与された場合には、突出端子が外れやすく、差込式端子との導通が遮断されてしまう可能性がある。
【００１１】
本発明は、前記従来のソケットの問題点を解決して、端子の接触腕部が相手方端子を挟持するとともに、ハウジングの挿通孔（こう）に形成された膨出部も相手方端子を挟持することによって、相手方端子と端子との導通状態を確実に維持することができるとともに、相手方端子を備える接続対象部材との接続状態を確実に維持することができる信頼性の高いソケットを提供することを目的とする。
【課題を解決するための手段】
【００１２】
そのために、本発明のソケットにおいては、接続対象部材の相手方端子と接触する端子と、該端子が装填（てん）されるハウジングとを備え、前記接続対象部材が接続されるソケットであって、前記端子は、前記相手方端子を挟持する接触腕部を含み、前記ハウジングは、前記相手方端子を挿通可能な挿通孔であって前記相手方端子を前記端子の接触腕部に案内する挿通孔と、前記相手方端子を挟持する前記挿通孔の内周面に形成された膨出部とを含む。
【００１３】
本発明の他のソケットにおいては、さらに、前記膨出部が前記相手方端子を挟持する方向は、前記接触腕部が前記相手方端子を挟持する方向と交差する。
【００１４】
本発明の更に他のソケットにおいては、さらに、前記接触腕部は、両側から前記相手方端子を挟持する一対の部材であり、前記膨出部は、前記接触腕部が前記相手方端子を挟持する方向と直交する方向両側から前記相手方端子を挟持する一対の部材である。
【００１５】
本発明の更に他のソケットにおいては、さらに、前記端子は、前記接触腕部の間に前記相手方端子を挿通可能な空間を含み、前記膨出部は、前記相手方端子の挿通方向から観て、前記空間に突出する。
【００１６】
本発明の更に他のソケットにおいては、さらに、前記挿通孔は、前記ハウジングにおける接続対象部材に対向する面から反対側の面まで貫通する。
【００１７】
本発明の更に他のソケットにおいては、さらに、前記ハウジングは、前記端子を収容する端子収容孔であって前記挿通孔と直交する方向に延在する端子収容孔を含み、前記挿通孔は対応する端子収容孔と交差する。
【００１８】
本発明の更に他のソケットにおいては、さらに、前記接続対象部材はモジュールであり、前記相手方端子は前記モジュールの一面から突出する棒状又は針状の突出端子であり、前記端子は電線の終端に接続される。
【発明の効果】
【００１９】
本発明によれば、ソケットは、端子の接触腕部が相手方端子を挟持するとともに、ハウジングの挿通孔に形成された膨出部も相手方端子を挟持する。これにより、相手方端子と端子との導通状態を確実に維持することができるとともに、相手方端子を備える接続対象部材との接続状態を確実に維持することができ、信頼性を向上させることができる。
【図面の簡単な説明】
【００２０】
【図１】本発明の実施の形態におけるソケットに接続対象部材を接続した状態を示す斜視図である。
【図２】本発明の実施の形態におけるソケットに接続対象部材を接続した状態を示す側断面図である。
【図３】本発明の実施の形態におけるソケットを示す斜視図であって、（ａ）は上方から観た図、（ｂ）は下方から観た図である。
【図４】本発明の実施の形態におけるソケットを示す三面図であって、（ａ）は上面図、（ｂ）は後面図、（ｃ）は側断面図であって（ａ）におけるＣ−Ｃ矢視断面図である。
【図５】本発明の実施の形態における端子を示す斜視図である。
【図６】本発明の実施の形態における端子を示す二面図であって、（ａ）は上面図、（ｂ）は側面図である。
【図７】本発明の実施の形態におけるソケットの要部を示す拡大図であって、（ａ）は図４（ａ）におけるＡ部拡大図、（ｂ）は図４（ｃ）におけるＢ部拡大図である。
【図８】従来のソケットの差込式端子を示す斜視図である。
【発明を実施するための形態】
【００２１】
以下、本発明の実施の形態について図面を参照しながら詳細に説明する。
【００２２】
図１は本発明の実施の形態におけるソケットに接続対象部材を接続した状態を示す斜視図、図２は本発明の実施の形態におけるソケットに接続対象部材を接続した状態を示す側断面図、図３は本発明の実施の形態におけるソケットを示す斜視図、図４は本発明の実施の形態におけるソケットを示す三面図である。なお、図３において、（ａ）は上方から観た図、（ｂ）は下方から観た図であり、図４において、（ａ）は上面図、（ｂ）は後面図、（ｃ）は側断面図であって（ａ）におけるＣ−Ｃ矢視断面図である。
【００２３】
図において、１０は本実施の形態におけるコネクタとしてのソケットであり、合成樹脂等の絶縁性材料によって一体的に形成された板状のハウジング１１と、該ハウジング１１に装填された金属製の端子６１とを備え、複数の電線９１を備えるケーブルの終端に接続される。また、１１０は、前記ソケット１０に接続される接続対象部材としてのモジュールであり、前記ハウジング１１の表面に実装されて前記ソケット１０に接続される。
【００２４】
なお、本実施の形態において、モジュール１１０は、例えば、ＴＯ（Ｔｒａｎｓｉｓｔｏｒ  Ｏｕｔｌｉｎｅ）パッケージ（特にＴＯ−５タイプ）に従うように形作られた赤外線センサ等の受光センサを含むセンサモジュールであるが、いかなる種類のモジュールであってもよく、ＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の撮像素子とレンズ等の光学素子とを一体化したカメラモジュール、マイクロホン等の音響素子モジュール等のようなモジュールであってもよい。一方、ソケット１０は、モジュール１１０を、例えば、テレビ、洗濯機、冷蔵庫等の家庭用電気装置に実装するために使用されるが、いかなる装置に実装するために使用されてもよく、携帯電話機、ＰＤＡ（Ｐｅｒｓｏｎａｌ  Ｄｉｇｉｔａｌ  Ａｓｓｉｓｔａｎｔ）、コンピュータ、ゲーム機、デジタルカメラ等の電子機器、防犯用監視装置、自動車等の装置に実装するために使用されてもよい。特に、前記赤外線センサ等の受光センサを含むセンサモジュールを用いて人体有無検知を行う処理機能を加えた場合には、人体が傍らに居なくなってから人体非検知状態が所定時間継続した後に、前記の、接続先の電気電子装置における、給電動作を低減して、動作スリープ状態にすることで節電を図るのが好ましい。
【００２５】
また、本実施の形態において、ソケット１０及びモジュール１１０の各部の構成及び動作を説明するために使用される上、下、左、右、前、後等の方向を示す表現は、絶対的なものでなく相対的なものであり、ソケット１０及びモジュール１１０又はその構成部品が図に示される姿勢である場合に適切であるが、ソケット１０及びモジュール１１０又はその構成部品の姿勢が変化した場合には姿勢の変化に応じて変更して解釈されるべきものである。
【００２６】
図２に示されるように、モジュール１１０は、略円柱状の形状を備える接続対象本体としてのモジュール本体１１１と、略円筒状の形状を備え、前記モジュール本体１１１の下面１１１ａ以外の部分を覆うモジュールケース１１５とを備える。また、前記モジュール１１０は、モジュール本体１１１の下面１１１ａから下方向に突出する相手方端子としての金属製の突出端子１６１を備える。該突出端子１６１は、図に示される例では、断面が円形の棒状又は針状の電極ピンであり、３本であって三角形の各頂点に対応する位置に配設されている。しかし、前記突出端子１６１の断面形状は、四角形等の多角形であってもよく、また、前記突出端子１６１の数は、２本であっても４本以上であってもよく、いくつであってもよく、任意に設定することができ、さらに、前記突出端子１６１の配置形態も、三角形等の多角形に限定されるものでなく、任意に設定することができる。
【００２７】
図３に示されるように、ハウジング１１は、肉厚の板状部材であるハウジング本体１２と、該ハウジング本体１２の側面に一体的に接続されたフランジ状の肉薄の板状部材である鍔（つば）部１４とを備える。そして、該鍔部１４には、上下方向（板厚方向）に鍔部１４を貫通する補助孔１７が形成されている。該補助孔１７は、例えば、ソケット１０を家庭用電気装置等の装置の筐（きょう）体、フレーム等の部材に固定するためのボルト、突起等の固定部材を挿入するために使用することができる。なお、前記補助孔１７の数及び位置は、任意に設定することができ、また、前記補助孔１７を省略することもできる。
【００２８】
前記補助孔１７を省略する設計を行う場合には、一策として、鍔部１４を、上記で例示した家庭用電気装置や、携帯電話機、ＰＤＡ（Ｐｅｒｓｏｎａｌ  Ｄｉｇｉｔａｌ  Ａｓｓｉｓｔａｎｔ）、コンピュータ、ゲーム機、デジタルカメラ等の電子機器、防犯用監視装置、自動車等の装置における取付け先となる部分に、一体成型などによって市場出荷段階で既に一体化されてあるように設計してもよい。
【００２９】
また、ハウジング本体１２には、端子６１を収容する端子収容孔１８が形成されている。該端子収容孔１８は、図２に示されるように、ハウジング本体１２の後面１２ｄに開口する後面開口部１８ａを備え、該後面開口部１８ａからハウジング本体１２の前面１２ｃに向けて延出するように形成されている。そして、各端子収容孔１８には、各電線９１の終端に接続された端子６１が、前記後面開口部１８ａから挿入されることによって、収容されている。また、各端子収容孔１８の内部の上面には、下方に向けて突出する係合突起１６が形成されている。そして、前記後面開口部１８ａから挿入された端子６１の本体部６４の上部に配設された抜止め部６４ａが前記係合突起１６と係合することによって、端子収容孔１８に収容された端子６１が端子収容孔１８から抜出てしまうことが防止される。
【００３０】
なお、図に示される例では、端子収容孔１８、該端子収容孔１８内に収容される端子６１及び該端子６１に接続される電線９１の数は、突出端子１６１が３本であることに対応して、３つであるが、突出端子１６１の数が変更された場合には、同様に変更される。
【００３１】
さらに、ハウジング本体１２には、突出端子１６１を挿通させることができる相手方端子挿通孔としての挿通孔１５が形成されている。該挿通孔１５は、図２に示されるように、上下方向（板厚方向）にハウジング本体１２を貫通し、該ハウジング本体１２の上面１２ａ（モジュール１１０に対向する面）及び下面１２ｂ（上面１２ａの反対側の面）に開口する上面開口部１５ａ及び下面開口部１５ｂを備える。なお、各挿通孔１５は、各端子収容孔１８の位置に対応する位置に形成され、各端子収容孔１８と交差する。したがって、図２に示されるように、上方から各挿通孔１５に挿入された突出端子１６１は、前記挿通孔１５に案内され、対応する端子収容孔１８内に収容された端子６１が備える接触部６３を通過し、該接触部６３と接触することができる。
【００３２】
本実施形態では、鍔部１４の端面は、図３や図４に図示したように、平面視で複数の直線的な端面の組合わせで形作られている（図４（ａ）参照）。赤外線センサ等の受光センサを含むセンサモジュールが検知視野に指向性を有しているタイプである場合、当該赤外線センサモジュールが挿通孔１５に保持されてハウジング本体１２と一体に国定されていると、ハウジング本体１２の配設される向きによって、当該赤外線センサモジュールの向きが固定されてしまい、当該赤外線センサモジュールの検知視野の配置設計に支障をきたすおそれがある。このおそれを解消するために、鍔部１４の当接する取付け先の表面に接することが可能なように、鍔部１４の端面を、図４（ａ）で図示したように複数の直線の集合体となるよう形作ってある。これによって、複数の直線であらわされる端面のうち、いずれかの端面を、取付け先の表面に接させるよう、ハウジング１１を図４（ａ）紙面に垂直な軸を中心にまわして前記赤外線センサモジュールの検知視野を回して変更できるようにしてある。そのような回した結果に応じるよう、補助孔１７の位置を設計しなおす手間は要るものの、当該赤外線センサモジュールの検知視野の配置設計に支障をきたすおそれを低減できる点で多大な利点だといえる。
【００３３】
なお、図に示される例では、突出端子１６１の先端部１６１ａが、端子６１の接触部６３の下端よりも下方に突出して該接触部６３の下端と下面開口部１５ｂとの間に位置しているが、突出端子１６１の長さは任意に設定することができ、例えば、先端部１６１ａが下面開口部１５ｂよりも下方に位置するようにしてもよいし、また、接触部６３の下端よりも上方に位置するようにしてもよい。
【００３４】
次に、前記端子６１の構成について詳細に説明する。
【００３５】
図５は本発明の実施の形態における端子を示す斜視図、図６は本発明の実施の形態における端子を示す二面図である。なお、図６において、（ａ）は上面図、（ｂ）は側面図である。
【００３６】
端子６１は、金属板に打抜き加工、曲げ加工等の加工を施して製造されたものであり、本体部６４と、該本体部６４の後端に接続された結線部６２と、前記本体部６４の先端に接続された接触部６３と、該接触部６３の先端に接続された先端部６５とを有し、電線９１の終端、すなわち、先端に接続される。
【００３７】
なお、図５及び６に示される例では、結線部６２の後端にキャリア６８が一体的に接続されている。該キャリア６８は、ソケット１０又は端子６１を製造する過程において、端子６１の予備成形体の搬送、位置決め等の作業を容易に行うために、搬送機械、工作機械、工具、ジグ、オペレータの手指等によって把持される部材であり、製造の最終段階において切除される。また、図に示される例では、キャリア６８に接続されている端子６１の数が単数であるが、一般的に、キャリア６８は、長い帯状の部材であり、複数の端子６１が並列に配列されて接続されている。
【００３８】
そして、前記結線部６２は、電線９１の絶縁被覆の上から電線９１に圧着されて該電線９１を保持する被覆保持部６２ａと、電線９１の先端部分において絶縁被覆が除去されたことによって露出している導電芯（しん）線に直接圧着されて電線９１を保持するとともに、導電芯線と電気的に接続される芯線保持部６２ｂとを備える。前記被覆保持部６２ａ及び芯線保持部６２ｂは、結線部６２の左右両側縁から上方に延出し、その先端が折曲げられて電線９１及び導電芯線に圧着される。なお、図５及び６において、前記被覆保持部６２ａ及び芯線保持部６２ｂの形状は、曲げ加工が施される前の形状である。
【００３９】
また、前記本体部６４は、その上部に形成された抜止め部６４ａを備える。ハウジング本体１２の後面１２ｄに開口する後面開口部１８ａから端子収容孔１８に挿入された端子６１が、図２に示されるように、端子収容孔１８の奥にまで到達し、端子６１の挿入が完了すると、すなわち、端子６１が端子収容孔１８内の所定位置に適切に収容され、ハウジング１１に完全に装填された状態になると、前記抜止め部６４ａは、端子収容孔１８の内部の上面に形成された下方に向けて突出する係合突起１６と係合する。これにより、ハウジング本体１２の端子収容孔１８内に収容された端子６１が端子収容孔１８から抜出ることが防止される。
【００４０】
前記接触部６３は、左右一対の接触腕部６３ａを備え、各接触腕部６３ａは、その上端に形成された絞り部である接触凸部としての挟持凸部６３ｂと、更に各挟持凸部６３ｂの上端に形成されたテーパ部としての誘導片部６３ｃとを含んでいる。そして、左右の接触腕部６３ａ同士の間は、接触部６３の上端から下端まで連通し、突出端子１６１が挿通可能な空間である突出端子挿通空間６６となっている。該突出端子挿通空間６６は、接触部６３の上端及び下端に開口する上端開口６６ａ及び下端開口６６ｂを備える。
【００４１】
図６（ａ）に示されるように、前記突出端子挿通空間６６は、ハウジング１１の前後方向、すなわち、端子６１の長手方向の寸法が大きく、端子６１の短手方向、すなわち、幅方向の寸法が小さな略矩（く）形の断面形状を備える。そして、突出端子挿通空間６６の幅方向の寸法は、上端開口６６ａにおいて大きく、誘導片部６３ｃに沿って下方向に進行すると漸減し、挟持凸部６３ｂにおいて最小となり、該挟持凸部６３ｂより下方ではやや大きくなるように設定されている。
【００４２】
なお、突出端子挿通空間６６の挟持凸部６３ｂにおける幅方向の寸法は、突出端子１６１の外径寸法よりも小さく設定される。これにより、突出端子１６１が突出端子挿通空間６６に挿入されると、左右の挟持凸部６３ｂ同士の間隔が押広げられるので、その反作用として、弾性的に変形した接触腕部６３ａが発生するばね力によって、突出端子１６１が左右から挟持される。その結果、突出端子１６１と接触部６３との導通状態が確実に維持されるとともに、突出端子１６１が突出端子挿通空間６６から抜出ることが防止され、ソケット１０とモジュール１１０との接続状態が確実に維持される。
【００４３】
次に、前記挿通孔１５の構成について詳細に説明する。
【００４４】
図７は本発明の実施の形態におけるソケットの要部を示す拡大図である。なお、図において、（ａ）は図４（ａ）におけるＡ部拡大図、（ｂ）は図４（ｃ）におけるＢ部拡大図である。
【００４５】
図７（ｂ）に示されるように、挿通孔１５における上面開口部１５ａ側の部分は、下方向に進行すると径が漸減するようなテーパ形状を備えることが望ましい。これにより、モジュール１１０をソケット１０に接続する際に、突出端子１６１を容易に挿通孔１５に進入させることが可能となる。
【００４６】
本実施の形態において、前記挿通孔１５の内周面には、相手方端子挟持凸部としての膨出部１５ｃが内周面から膨出するように一体的に形成されている。該膨出部１５ｃは、図７に示されるように、一対であって、挿通孔１５の内周面におけるハウジング１１の前後方向両側、すなわち、端子６１の長手方向両側の位置に、それぞれ、形成される。したがって、一対の膨出部１５ｃは、ハウジング１１の前後方向、すなわち、端子６１の長手方向において互いに対向する。図７（ａ）に示される例において、前記膨出部１５ｃの互いに対向する面は、円柱側面状の凹面であるが、必ずしも円柱側面状の凹面に限定されるものでなく、いかなる形状の面であってもよい。
【００４７】
前記挿通孔１５の内径寸法は、上下方向の全範囲において、突出端子１６１の外径寸法よりも大きく設定されているが、対向する膨出部１５ｃ同士の間隔は、少なくとも膨出部１５ｃの一部において、突出端子１６１の外径寸法よりも小さく設定される。これにより、突出端子１６１が挿通孔１５に挿入されると、一対の膨出部１５ｃ同士の間隔が押広げられるので、その反作用として、弾性的に変形した膨出部１５ｃが発生するばね力によって、突出端子１６１が前後から挟持される。その結果、突出端子１６１が挿通孔１５から抜出ることが防止され、ソケット１０とモジュール１１０との接続状態が確実に維持される。
【００４８】
また、端子６１の挟持凸部６３ｂが端子６１の幅方向両側から突出端子１６１を挟持するのに対し、膨出部１５ｃは、端子６１の長手方向両側から突出端子１６１を挟持する。つまり、一対の膨出部１５ｃが突出端子１６１を挟持する方向は、挟持凸部６３ｂが突出端子１６１を挟持する方向に対して交差している。したがって、突出端子１６１の姿勢が安定し、突出端子１６１が挿通孔１５から抜出ることがより効果的に防止され、ソケット１０とモジュール１１０との接続状態がより確実に維持される。
【００４９】
なお、突出端子１６１が金属製の部材であるのに対して、膨出部１５ｃは、ハウジング１１と一体であるから、合成樹脂等の絶縁性材料によって形成された部材である。そのため、突出端子１６１が挿通孔１５に挿入される際に、膨出部１５ｃが突出端子１６１によって削られ、削り屑（くず）が発生することがある。しかし、図７（ａ）に示されるように、前記膨出部１５ｃは、平面視において、すなわち、突出端子１６１の挿通方向から観て、突出端子挿通空間６６に対応する箇所に突出し、望ましくは、左右の挟持凸部６３ｂ同士の間隙（げき）に突出する。そのため、削り屑が発生したとしても、該削り屑は、端子６１やハウジング本体１２内に異物として付着したり残留したりすることがなく、突出端子挿通空間６６及び挿通孔１５を通過し、該挿通孔１５の下面開口部１５ｂから外部へ落下する。したがって、膨出部１５ｃの削り屑が発生したとしても、端子６１、ハウジング本体１２等が異物によって汚染されてしまうことがないので、異物に起因する接触不良、短絡等が発生することがない。
【００５０】
次に、前記モジュール１１０をソケット１０に接続する動作について説明する。
【００５１】
モジュール１１０をソケット１０に接続する場合には、モジュール１１０をオペレータが手指等によって操作して、モジュール本体１１１の下面１１１ａがハウジング本体１２の上面１２ａに向合うように位置させる。また、モジュール本体１１１の下面１１１ａから突出する突出端子１６１の各々がハウジング本体１２の上面１２ａに開口する挿通孔１５の上面開口部１５ａの各々に対応するように、モジュール１１０の向きが調整される。そして、モジュール１１０をハウジング本体１２の上面１２ａに対して垂直に移動させ、各突出端子１６１の先端部１６１ａを対応する挿通孔１５に上方から挿入し、図１及び２に示されるように、モジュール１１０をソケット１０に接続する。
【００５２】
この際、突出端子１６１がソケット１０に対して相対的に下降し、上面開口部１５ａを通って挿通孔１５内に進入し、挿通孔１５の内周面から膨出する膨出部１５ｃ同士の間を通過する。対向する膨出部１５ｃ同士の間隔は、少なくとも膨出部１５ｃの一部において、突出端子１６１の外径寸法よりも小さく設定されているので、突出端子１６１によって押広げられる。したがって、突出端子１６１は、ハウジング１１の前後方向両側から膨出部１５ｃによって挟持される。
【００５３】
また、突出端子１６１は、前記挿通孔１５によって案内され、膨出部１５ｃ同士の間を通過した後、端子６１の接触部６３に形成された突出端子挿通空間６６内に進入し、左右の挟持凸部６３ｂ同士の間を通過する。対向する挟持凸部６３ｂ同士の間隔は、突出端子１６１の外径寸法よりも小さく設定されているので、突出端子１６１によって押広げられる。したがって、突出端子１６１は、ハウジング１１の左右方向両側から挟持凸部６３ｂによって挟持され、端子６１と電気的に接続される、すなわち、導通状態となる。
【００５４】
これにより、モジュール１１０の各突出端子１６１がソケット１０の対応する端子６１と電気的に確実に接続される。また、各突出端子１６１が、ハウジング本体１２の膨出部１５ｃ及び端子６１の挟持凸部６３ｂによって、二カ所で挟持されるので、確実に保持され、その結果、各突出端子１６１と対応する端子６１との導通状態が確実に維持されるとともに、モジュール１１０のソケット１０への接続状態が確実に維持される。さらに、各突出端子１６１が、ハウジング本体１２の膨出部１５ｃ及び端子６１の挟持凸部６３ｂを押広げるので、モジュール１１０をソケット１０に接続する際に受ける抵抗が大きく、オペレータは、クリック感を感じることができ、モジュール１１０とソケット１０との接続が完了したことを正確に認識することができる。
【００５５】
なお、本実施の形態においては、膨出部１５ｃが一対のものである場合について説明したが、膨出部１５ｃは二対以上形成されていてもよい。また、膨出部１５ｃが端子６１の長手方向（ハウジング１１の左右方向）両側から突出端子１６１を挟持する場合について説明したが、膨出部１５ｃが突出端子１６１を挟持する方向は、必ずしも端子６１の長手方向に限定されるものでなく、端子６１の幅方向以外であれば、いかなる方向であってもよい。すなわち、一対の膨出部１５ｃが突出端子１６１を挟持する方向は、挟持凸部６３ｂが突出端子１６１を挟持する方向と交差していれば、いかなる方向であってもよい。
【００５６】
このように、本実施の形態において、ソケット１０は、モジュール１１０の突出端子１６１と接触する端子６１と、端子６１が装填されるハウジング１１とを備え、モジュール１１０が接続される。そして、端子６１は、突出端子１６１を挟持する接触腕部６３ａを含み、ハウジング１１は、突出端子１６１を挿通可能な挿通孔１５であって突出端子１６１を端子６１の接触腕部６３ａに案内する挿通孔１５と、突出端子１６１を挟持する挿通孔１５の内周面に形成された膨出部１５ｃとを含む。
【００５７】
これにより、突出端子１６１と端子６１との導通状態を確実に維持することができ、かつ、ソケット１０とモジュール１１０との接続状態を確実に維持することができる。
【００５８】
また、膨出部１５ｃが突出端子１６１を挟持する方向は、接触腕部６３ａが突出端子１６１を挟持する方向と交差する。これにより、挟持される突出端子１６１の姿勢が安定し、突出端子１６１が挿通孔１５から抜出ることがより効果的に防止され、ソケット１０とモジュール１１０との接続状態がより確実に維持される。
【００５９】
さらに、接触腕部６３ａは、両側から突出端子１６１を挟持する一対の部材であり、膨出部１５ｃは、接触腕部６３ａが突出端子１６１を挟持する方向と直交する方向両側から突出端子１６１を挟持する一対の部材である。これにより、突出端子１６１と端子６１との導通状態をより確実に維持することができるとともに、挟持される突出端子１６１の姿勢がより安定する。
【００６０】
さらに、端子６１は、接触腕部６３ａの間に突出端子１６１を挿通可能な突出端子挿通空間６６を含み、膨出部１５ｃは、突出端子１６１の挿通方向から観て、突出端子挿通空間６６に突出する。これにより、膨出部１５ｃが突出端子１６１によって削られ、削り屑が発生したとしても、削り屑が突出端子挿通空間６６を通過して落下するので、端子６１等に異物として付着したり残留したりすることがなく、異物に起因する接触不良、短絡等が発生することがない。
【００６１】
さらに、挿通孔１５は、ハウジング１１における上面１２ａから下面１２ｂまで貫通する。これにより、挿通孔１５内に進入した異物や挿通孔１５内で発生した異物が挿通孔１５から外部へ落下するので、異物による挿通孔１５内の汚染が防止される。
【００６２】
さらに、ハウジング１１は、端子６１を収容する端子収容孔１８であって挿通孔１５と直交する方向に延在する端子収容孔１８を含み、挿通孔１５は対応する端子収容孔１８と交差する。これにより、突出端子１６１は、挿通孔１５に挿通されることによって案内され、端子収容孔１８内に収容された端子６１と接触することができる。
【００６３】
さらに、突出端子１６１はモジュール１１０のモジュール本体１１１の下面１１１ａから突出する棒状又は針状の部材であり、端子６１は電線９１の終端に接続される。これにより、モジュール１１０の突出端子１６１は、ソケット１０を介して、対応する電線９１と電気的に接続される。
【００６４】
なお、本発明は前記実施の形態に限定されるものではなく、本発明の趣旨に基づいて種々変形させることが可能であり、それらを本発明の範囲から排除するものではない。
【産業上の利用可能性】
【００６５】
本発明は、ソケットに適用することができる。
【符号の説明】
【００６６】
１０    ソケット
１１    ハウジング
１２    ハウジング本体
１２ａ    上面
１２ｂ、１１１ａ    下面
１２ｃ    前面
１２ｄ    後面
１４    鍔部
１５    挿通孔
１５ａ    上面開口部
１５ｂ    下面開口部
１５ｃ    膨出部
１６    係合突起
１７    補助孔
１８    端子収容孔
１８ａ    後面開口部
６１    端子
６２、８６２    結線部
６２ａ    被覆保持部
６２ｂ    芯線保持部
６３、８６３ｅ    接触部
６３ａ    接触腕部
６３ｂ    挟持凸部
６３ｃ    誘導片部
６４、８６１    本体部
６４ａ    抜止め部
６５、１６１ａ、８６３ｊ    先端部
６６    突出端子挿通空間
６６ａ    上端開口
６６ｂ    下端開口
６８    キャリア
９１    電線
１１０    モジュール
１１１    モジュール本体
１１５    モジュールケース
１６１    突出端子
８６３    接続部
８６３ａ    立上げ部
８６３ｃ    開口部
８６３ｄ    案内部
８６３ｆ    舌片
【図１】
2014135228.tif 000003
【図２】
2014135228.tif 000004
【図３】
2014135228.tif 000005
【図４】
2014135228.tif 000006
【図５】
2014135228.tif 000007
【図６】
2014135228.tif 000008
【図７】
2014135228.tif 000009
【図８】
2014135228.tif 000010